(57)【要約】【課題】トビケラ等の付着生物が生息する流水環境の石等の表面形状に近い形状を有する営巣用基材を提供する。【解決手段】トビケラ等の付着生物を営巣させるための営巣用基材１であって、板状をなす本体部２と、この本体部２に設けられるとともに、付着生物を営巣させ得る形状をなす少なくとも一つの営巣部３とを備える。営巣部３は、本体部２の表裏面のうちの少なくとも一方に設けられる、本体部２の表裏面を貫通する孔４からなり、孔４の内面には中心部方向に張り出る張出部５が設けられる。この営巣部３内にトビケラ等の付着生物を進入させて営巣させることにより、営巣部３の状態を観察することにより、トビケラ等の付着生物の営巣の過程等の生態を精度よく観察することができる。【選択図】図２
2007222140.tif 000002
【特許請求の範囲】
【請求項１】
トビケラ等の付着生物を営巣させるための営巣用基材であって、
板状をなす本体部と、該本体部に設けられるとともに、前記付着生物を営巣させ得る形状をなす少なくとも一つの営巣部とを備えていることを特徴とする営巣用基材。
【請求項２】
前記営巣部は、前記本体部の表裏面のうちの少なくとも一方に設けられる凹部又は凹凸部であることを特徴とする請求項１に記載の営巣用基材。
【請求項３】
前記営巣部は、前記本体部の表裏面を貫通する孔であることを特徴とする請求項１に記載の営巣用基材。
【請求項４】
前記孔の内面には、該孔の中心部方向に張り出る張出部が一体に設けられていることを特徴とする請求項３に記載の営巣用基材。
【請求項５】
前記本体部は、合成樹脂からなることを特徴とする請求項１から４の何れかに記載の営巣用基材。
【発明の詳細な説明】
【技術分野】
【０００１】
本発明は、営巣用基材に関し、特に、実験室内等でトビケラ等の付着生物の生態（営巣の過程等）を観察するのに有効な営巣用基材に関する。
【背景技術】
【０００２】
一般に、河川や海等の石表面の凹凸を利用して営巣するトビケラ等の付着生物は、河川や海等の生態系における食物連鎖や物質循環等の鍵となる生物群であるため、この付着生物の生息状況の調査や、この付着生物を利用した環境指標の考案等の各種の研究が行われている。
【０００３】
トビケラ等の付着生物は、河川の水道施設導水路や火力発電所導水路、海洋の火力、原子力発電所の取水口や排出口等の壁面に大量に営巣または付着することにより、通水を阻害したり、管路を閉塞したりする等の問題を生じさせる。このため、電力メーカー等においては、実験室内にトビケラ等の付着生物が生息する流水環境に近い環境を再現し、付着生物が付着または営巣する様子を観察し、付着生物を付着させない環境を見出す実験等、各種の実験、研究を行っている。
【０００４】
ところで、上記のようなトビケラ等の付着生物の生態を実験室内で観察する場合、実験室内にトビケラ等の付着生物が生息する流水環境に近い環境を再現することは勿論のこと、付着生物がトビケラのように自らが付着するのではなく、凹凸を利用して営巣する種類である場合には、付着生物が実際に営巣する石や岩の表面の凹凸に近い形状、構造の営巣基材を用意する必要がある。
【０００５】
付着生物を付着させる付着基材の一例として、複数本の縦枠と横枠とを縦横に枠組みして複数の挿入空間を形成し、この複数の空間のうちの所望の空間内に付着生物を付着させるための付着基材としての供試体を挿着するように構成した付着生物の調査装置が提案されている（例えば、特許文献１参照。）。
【０００６】
このような構成の付着生物の調査装置にあっては、付着生物の生息に適した材質の供試体を選択して所望の挿入空間内に挿着することにより、造成予定の護岸に近い状況を再現することができるので、造成後の護岸に付着する付着生物の種類、量等を推定する実験、研究には有効となるものである。
【０００７】
また、所望の挿入空間内に供試体を挿着することにより、凹凸のある模擬護岸等、各種の形状の模擬護岸を作ることができるので、護岸の形状が付着生物に与える影響等を調査する実験、研究を行うこともできる。
【特許文献１】特開２０００−２１００７３号公報
【発明の開示】
【発明が解決しようとする課題】
【０００８】
しかし、上記のような構成の付着生物の調査装置にあっては、海洋の付着生物のみを対象としたものであって、河川の水道施設導水路や火力発電所導水路の壁面に付着して影響を与えるトビケラ等の付着生物に関しては何ら触れておらず、そのままトビケラ等の付着生物の生態の観察に使用することは困難である。
【０００９】
本発明は、上記のような従来の問題に鑑みなされたものであって、トビケラ等の付着生物の生態（営巣の過程等）を精度よく観察することができ、これにより付着生物を付着、営巣させない環境を見出す研究等に有効に適用することができる営巣基材を提供することを目的とする。
【課題を解決するための手段】
【００１０】
上記のような課題を解決するために、本発明は、以下のような手段を採用している。
すなわち、請求項１に係る発明は、トビケラ等の付着生物を営巣させるための営巣用基材であって、板状をなす本体部と、該本体部に設けられるとともに、前記付着生物を営巣させ得る形状をなす少なくとも一つの営巣部とを備えていることを特徴とする。
【００１１】
本発明による営巣用基材によれば、本体部に設けられる営巣部は、トビケラ等の付着生物を営巣させ得る形状、すなわち、トビケラ等の付着生物が生息する流水環境に存在する石等の表面形状に近い形状に形成されているので、例えば、実験室内の観察装置等に再現したトビケラ等の付着生物が生息する流水環境に近い環境内に晒すことにより、トビケラ等の付着生物を営巣部内に進入させて営巣させることができる。
従って、トビケラ等の付着生物が営巣する過程等の生態を実験室内で精度よく観察することができ、この観察データをトビケラ等の付着生物を付着させない方策を見出す実験、研究等に利用することができる。
【００１２】
請求項２に係る発明は、請求項１に記載の営巣用基材であって、前記営巣部は、前記本体部の表裏面のうちの少なくとも一方に設けられる凹部又は凹凸部であることを特徴とする。
【００１３】
本発明による営巣用基材によれば、本体部の表面又は裏面には、トビケラ等の付着生物が生息する流水環境に存在する石等の表面形状に近い形状の凹部又は凹凸部からなる営巣部が設けられているので、この凹部又は凹凸部からなる営巣部内にトビケラ等の付着生物を進入させて営巣させることができる。従って、トビケラ等の付着生物が営巣する過程等の生態を実験室内で精度よく観察することができ、この観察データをトビケラ等の付着生物を付着させない方策を見出す実験、研究等に利用することができる。
【００１４】
請求項３に係る発明は、請求項１に記載の営巣用基材であって、前記営巣部は、前記本体部の表裏面を貫通する孔であることを特徴とする。
【００１５】
本発明による営巣用基材によれば、本体部には、トビケラ等の付着生物が生息する流水環境に存在する石等の表面形状に近い形状の本体部の表裏面を貫通する孔からなる営巣部が設けられているので、この孔からなる営巣部内にトビケラ等の付着生物を進入させて営巣させることができる。従って、トビケラ等の付着生物が営巣する過程等の生態を実験室内で精度よく観察することができ、この観察データをトビケラ等の付着生物を付着させない方策を見出す実験、研究等に利用することができる。
【００１６】
請求項４に係る発明は、請求項３に記載の営巣用基材であって、前記孔の内面には、該孔の中心部方向に張り出る張出部が一体に設けられていることを特徴とする。
【００１７】
本発明による営巣用基材によれば、本体部の営巣部を構成する孔の内面に張出部を設けることにより、孔の内面形状をトビケラ等の付着生物が生息する流水環境に存在する石等の表面形状に近い形状とすることができるので、この孔からなる営巣部内にトビケラ等の付着生物を更に営巣させ易くすることができる。
【００１８】
請求項５に係る発明は、請求項１から４の何れかに記載の営巣用基材であって、前記本体部は、合成樹脂からなることを特徴とする。
【００１９】
本発明による営巣用基材によれば、本体部を合成樹脂とすることにより、トビケラ等の付着生物が生息する流水環境に存在する石等の表面形状に近い形状に本体部の営巣部を容易にかつ安価に形成することができるので、トビケラ等の付着生物の生態の観察に要する費用を削減することができる。
【発明の効果】
【００２０】
以上、説明したように、本発明の営巣用基材によれば、本体部に設けられる営巣部は、トビケラ等の付着生物を営巣させ得る形状、すなわち、トビケラ等の付着生物が生息する流水環境に存在する石等の表面形状に近い形状に形成されているので、例えば、実験室内の観察装置等に再現したトビケラ等の付着生物が生息する流水環境に近い環境内に晒すことにより、トビケラ等の付着生物を営巣部内に進入させて営巣させることができる。
従って、トビケラ等の付着生物が営巣する過程等の生態を実験室内で精度よく観察することができ、この観察データをトビケラ等の付着生物を付着させない方策を見出す実験、研究等に利用することができる。
また、営巣部を凹部、凹凸部、孔等によって構成することにより、トビケラ等の付着生物が生息する流水環境に存在する石等の表面形状により近づけることができるので、トビケラ等の付着生物が営巣し易い環境を提供することができる。
さらに、本体部を合成樹脂製とすることにより、本体部の営巣部をトビケラ等の付着生物が生息する流水環境内に存在する石等の表面形状に近い形状に形成する場合に、容易にかつ安価に形成することができ、トビケラ等の付着生物の生態の観察に要する費用を削減することができる。
【発明を実施するための最良の形態】
【００２１】
以下、図面に示す本発明の実施の形態について説明する。
図１〜図４には、本発明による営巣用基材の一実施の形態が示されていて、図１は営巣用基材を観察装置に設置した状態を示す説明図、図２は営巣用基材の全体を示す平面図、図３は付着生物の営巣過程の初期段階を示す説明図、図４は付着生物の営巣過程の終期段階を示す説明図である。
【００２２】
すなわち、本実施の形態に示す営巣用基材１は、河川の水道施設導水路や火力発電所導水路の取水口や排出口等に付着するトビケラ等の付着生物２５の生態を観察するのに有効なものであって、例えば、トビケラ等の付着生物２５が生息する流水環境を実験室内で再現した後述する観察装置１１の水槽１２内に設置されて使用される。
【００２３】
本実施の形態に示す営巣用基材１は、塩化ビニル等の合成樹脂から形成されるものであって、図２に示すように、本体部２と、本体部２に設けられる複数の営巣部３とを備えており、各営巣部３にトビケラ等の付着生物２５が営巣可能に構成されている。
【００２４】
本体部２は、四角形板状をなすものであって、全体に亘って縦横に整列した状態で複数の営巣部３が設けられている。本体部２は、四角形板状に限らず、三角形板状、円形板状等としてもよい。
【００２５】
各営巣部３は、本体部２に表裏面間を貫通する四角形状の孔４を設けて構成したものであって、この孔４内にトビケラ等の付着生物２５を進入させて営巣させることができる。孔４の形状は、四角形状に限らず、三角形状、円形状、楕円形状等としてもよい。要は、トビケラ等の付着生物２５が生息する河川等の石表面の凹凸形状に近い形状に形成すればよい。
【００２６】
各営巣部３の孔４の内面には、孔４の中心部方向に張り出る張出部５が一体に設けられている。張出部５は、孔４の内面の全周に亘って設けてもよいし、一部にのみ設けてもよい（本実施の形態においては、全周に亘って環状に設けている）。孔４の内面に張出部５を設けることにより、孔４の内面を河川等に存在する石表面の凹凸形状に近い形状に形成することができ、トビケラ等の付着生物２５が営巣し易い形状を提供することができる。
【００２７】
本実施の形態においては、隣接する営巣部３、３間に配置されるリブ６の上部にも営巣部７が一体に設けられ、この営巣部７内にもトビケラ等の付着生物２５が営巣可能に構成されている。この営巣部７は、底部がリブ６の表面又は裏面によって閉塞される筒状をなすものであって、リブ６の表面又は裏面から所定の長さ突出した状態で一体に設けられている。
【００２８】
本実施の形態においては、体長１０ｍｍ程度のトビケラ等の付着生物２５の幼虫が営巣可能な空間を形成するために、本体部２に、縦１０ｍｍ×横１０ｍｍ×深さ８ｍｍの四角形状の孔４を設けている。なお、営巣部３を構成する孔４のサイズは、使用する付着生物の種類に応じて適宜の値に設定すればよい。
【００２９】
上記のような構成の本実施の形態による営巣用基材１は、例えば、図１に示すような構成の観察装置１１に設置されて使用される。
すなわち、この観察装置１１は、内部に河川水、海水等の水３０が所定量貯留される水槽１２と、水槽１２内に貯留される水３０に所定の流れを生じさせる流れ生成手段１５とを備え、水槽１２の内部に本実施の形態による営巣用基材１が設置される。
【００３０】
水槽１２は、下端が閉塞された略円筒状をなすものであって、外部から内部を透視可能な素材（例えば、半透明又は透明のポリカーボネート等の合成樹脂材）から形成され、水槽１２内に設置した営巣用基材１の状態を外部から観察することができる。
【００３１】
水槽１２は、実験室の卓上に載置可能な大きさに形成される。水槽１２の底板１３は、卓上に安定して載置させるために平面状に形成されている。水槽１２の内面１４は、上端から下端にかけて順次縮径するテーパ面に形成されている。
【００３２】
流れ生成手段１５は、水槽１２内に貯留される水３０に所定の流れを生じさせるためのものであって、モータ１６と、モータ１６の出力軸（図示せず）にカップリング等を介して取り付けられる回転軸１７と、回転軸１７の先端部に取り付けられる攪拌羽根１８とから構成されている。
【００３３】
モータ１６は、水槽１２の上端開口部に架設されているメッシュ状の支持部材２１の中央部に出力軸が垂直方向下方を向くように取り付けられ、このモータ１６の出力軸に軸線を一致させた状態で回転軸１７がカップリング等を介して一体に取り付けられている。モータ１６としては、回転数の調整が可能な各種のＤＣモータ、ＡＣモータが使用される。支持部材２１は、メッシュ状のものに限らず、モータ１６を支持することができる形状のものであればよい。
【００３４】
回転軸１７は、上端部がモータ１６の出力軸に取り付けられた状態で下端部が水槽１２の底部に達する長さに形成され、この回転軸１７の水槽１２の底部に位置している下端部に攪拌羽根１８が着脱自在に取り付けられている。
【００３５】
攪拌羽根１８は、ステンレス鋼板等を加工して略三角形板状に形成した本体部１９と、この本体部１９の表面に溶接等により一体に接続される棒状の取付け部２０とからなり、この取付け部２０を介して回転軸１７の下端部に着脱自在に取り付けられている。
【００３６】
攪拌羽根１８の本体部１９は、平板状に形成してもよいし、取付け部２０を中心として所定の角度で捻って、回転方向に対して所定の角度で傾斜させてもよい。攪拌羽根１８の本体部１９は、略三角形板状に限らず他の形状としてもよい。要は、水槽１２内の水３０に所定の流れを生じさせることができる形状であればよい。例えば、図示はしないが、取付け部２０に複数の板材を放射状に、かつ回転方向に所定の角度で傾斜させて取り付け、この複数の板材によって攪拌羽根１８の本体部１９を構成してもよい。
【００３７】
営巣用基材１は、水槽１２の底部の攪拌羽根１８の外側の部分の複数箇所（本実施の形態においては、攪拌羽根１８を中心として対向する２箇所）に設置されている。攪拌羽根１８の外側には、攪拌羽根１８の周囲を囲むように所定の間隔をおいてネット状の保護部材２２が設けられ、この保護部材２２によって攪拌羽根１８の外側に設けられる営巣用基材１が攪拌羽根１８に接触するのを防止し、営巣用基材１に営巣するトビケラ等の付着生物２５を攪拌羽根１８から保護している。保護部材２２のネット状の部分は、攪拌羽根１８によって水槽１２内に生じさせる水３０の流れに影響を与えない程度の大きさの孔に形成されている。
【００３８】
そして、上記のように構成した観察装置１１の流れ生成手段１５のモータ１６を駆動させて、回転軸１７と一体に攪拌羽根１８を回転させ、水槽１２内の水３０に所定の方向、所定流速の流れを生じさせ、水槽１２内に河川等の流水環境に近い流水環境を再現させる。この場合、水槽１２内に河川等に存在する石粒を予め所定量投入しておく。
【００３９】
そして、水槽１２内に所定数のトビケラ等の付着生成物２５を投入すると、図３に示すように、付着生物２５が水の流れによって流されて営巣用基材１の営巣部３内に入り込み、口や尾の爪を営巣部３のフランジ部５等に引っ掛けて営巣部３内に体を保持し、この状態で口から糸を出して営巣部３の内面に糸を粘着させ、この糸によって体を営巣部３内に保持する。そして、図４に示すように、水の流れによって運ばれてくる石粒を糸に粘着させ、石粒によって体の周囲を被包し、このようにして、トビケラ等の付着生物２５の巣作りが完了する。
【００４０】
上記のように構成した本実施の形態による営巣用基材１にあっては、本体部２に複数の孔４を設けて、各孔４によって営巣部３を構成しているので、営巣部３内で巣づくりするトビケラ等の付着生物２５の様子を、営巣用基材１の表面及び裏面の両側から観察することができ、トビケラ等の付着生物２５の生態を精度よく観察することができる。
【００４１】
また、合成樹脂製の本体部２に複数の孔４を設けただけの簡単な構成のものであるので、市販の安価な合成樹脂製の格子状の板材等を使用することができるので、トビケラ等の付着生物２５の生態を観察するために特別に基材を製作する必要はなく、観察に要するコストを削減することができる。
【００４２】
さらに、本体部２を板状に形成しているので、水の流れに対して本体部２の角度を容易に変更することができるので、水の流れの方向の異なる種々の条件の下でトビケラ等の付着生物２５の営巣の過程を観察することができる。
【００４３】
さらに、本体部２は、合成樹脂から形成されているので、本体部２に営巣部３を形成する場合に、営巣部３の形状をトビケラ等の付着生物２５が生息する河川や海等に存在する石等の表面形状に容易に近づけることができ、精度のよい観察を行うことができる。
【００４４】
なお、前記の説明においては、本体部２に孔４を設けて営巣部３としたが、本体部の表面又は裏面に凹部又は凹凸部を設けて、凹部又は凹凸部を営巣部３としてもよいものであり、その場合にも同様の作用効果を奏するものである。
【００４５】
さらに、前記の説明においては、本実施の形態による営巣用基材１を観察装置１１の水槽１２内に設置して使用したが、河川や海等に設置して、トビケラ等の付着生物２５を捕捉するために用具として使用してもよい。
【図面の簡単な説明】
【００４６】
【図１】本発明による営巣用基材の一実施の形態を示す説明図であって、営巣用基材を観察装置に設置した状態を示す説明図である。
【図２】営巣用基材の全体を示す平面図である。
【図３】付着生物の営巣過程の初期段階を示す説明図である。
【図４】付着生物の営巣過程の終期段階を示す説明図である。
【符号の説明】
【００４７】
１  営巣用基材                    ２  本体部
３、７  営巣部                    ４  孔
５  張出部                        ６  リブ
１１  観察装置                    １２  水槽
１３  底板                        １４  内面
１５  流れ生成手段                １６  モータ
１７  回転軸                      １８  攪拌羽根
１９  本体部                      ２０  取付け部
２１  支持部材                    ２２  保護部材
２５  付着生物                    ３０  水
【図１】
2007222140.tif 000003
【図２】
2007222140.tif 000004
【図３】
2007222140.tif 000005
【図４】
2007222140.tif 000006